(57)【要約】【課題】偽のIDカードを好適に検出する真贋判定装置等を提供する。【解決手段】真贋判定システム１は、IDカード１０を読取る読取装置２と真贋判定装置３を有する。真贋判定装置３はIDカード１０の真贋判定を行うものであり、IDカード１０の画像におけるオンデマンド情報の文字の線の近傍の所定領域の濃度値を閾値と比較することにより、IDカード１０の真贋判定を行う。所定領域は、例えばオンデマンド情報の文字の外側に設定される。【選択図】図１
2020035033.tif 000002
【特許請求の範囲】
【請求項１】
IDカードの真贋判定を行う真贋判定装置であって、
前記IDカードの画像におけるオンデマンド情報の文字の線の近傍の所定領域の濃度値から、前記IDカードの真贋判定を行うことを特徴とする真贋判定装置。
【請求項２】
前記所定領域は、前記文字の外側の領域であることを特徴とする請求項１記載の真贋判定装置。
【請求項３】
前記所定領域は、前記文字と、前記IDカードのその他の文字又は罫線の間にあることを特徴とする請求項２記載の真贋判定装置。
【請求項４】
前記濃度値を閾値と比較することにより、前記IDカードの真贋判定を行うことを特徴とする請求項１から請求項３のいずれかに記載の真贋判定装置。
【請求項５】
コンピュータを、
IDカードの真贋判定を行う真贋判定装置であって、
前記IDカードの画像におけるオンデマンド情報の文字の線の近傍の所定領域の濃度値から、前記IDカードの真贋判定を行う真贋判定装置として機能させるためのプログラム。
【発明の詳細な説明】
【技術分野】
【０００１】
本発明は、真贋判定装置とそのプログラムに関する。
【背景技術】
【０００２】
金融機関や携帯電話キャリアなどでは契約時に運転免許証等のIDカードによる本人確認が必要であるが、別人になりすましての契約を行うためにIDカードを偽造するケースが増えつつある。
【０００３】
一般的に、IDカードは、各カードで共通に使用される文字や罫線（プレ印刷部分という）をオフセット印刷方式や凸版印刷方式などによりカードに予め印刷し、このカードに対し、カード所持者の氏名や生年月日、住所、顔画像など個々のカードによって異なる情報（オンデマンド情報という）を熱転写方式により印刷して製造される。オンデマンド情報のうち、生年月日や住所などの文字は溶融型熱転写方式により印刷され、顔画像は昇華型熱転写方式によって印刷される。
【０００４】
IDカードの偽造方法の例として、オンデマンド情報を変更した偽の券面画像をインクジェットプリンタで印刷してIDカードの全面に貼り付けるものがあり、特許文献１には、このような偽造を検出するべくインクジェットプリンタで印刷を行った時に現れるモアレ縞を検出可能とした真贋判定装置が記載されている。
【先行技術文献】
【特許文献】
【０００５】
【特許文献１】特開2011-34535号公報
【発明の概要】
【発明が解決しようとする課題】
【０００６】
しかしながら、特許文献１の方法は、インクジェット方式特有のモアレ縞を検出するものであり、インクジェット方式によるプリンタを使用した偽造しか検出できない。
【０００７】
例えばIDカードの偽造方法には、オンデマンド情報を変更した偽の券面画像を昇華型熱転写方式によるプリンタを使用して印刷し、これをIDカードの全面に貼り付けるものもあり、このような偽造を特許文献１の方法で検出することは難しい。
【０００８】
本発明は上記の問題に鑑みてなされたものであり、偽のIDカードを好適に検出する真贋判定装置等を提供することを目的とする。
【課題を解決するための手段】
【０００９】
前述した課題を解決するための第１の発明は、IDカードの真贋判定を行う真贋判定装置であって、前記IDカードの画像におけるオンデマンド情報の文字の線の近傍の所定領域の濃度値から、前記IDカードの真贋判定を行うことを特徴とする真贋判定装置である。
【００１０】
前記したように、IDカードのオンデマンド情報の文字は溶融型熱転写方式により印刷され、線のエッジが明確に現れる。そのため、文字の線と、当該線の近傍の文字が印刷されない領域との違いが明確である。本発明では、このようなオンデマンド情報の文字の特性を利用し、オンデマンド情報の文字の線の近傍の所定領域の濃度値に基づいて、当該線の近傍の本来文字が印刷されない領域にインキが転写されるもの全般を偽のIDカードと判定できる。例えば、仮に昇華型熱転写方式により券面画像を印刷したものをIDカードの全面に貼り付けると、上記の所定領域に尾引が生じ、正規のIDカードに対する違いが生じるのでIDカードを偽と判定できる。
【００１１】
前記所定領域は、前記文字の外側の領域であることが望ましい。
オンデマンド情報の文字はIDカードによって異なる。そのため、文字の内部領域の濃度値によって真贋判定をしようとすると、あるIDカードでは当該領域が文字の線と線の間になり真贋判定ができるが、他のIDカードでは当該領域が文字の線の上となり有効な真贋判定ができない可能性がある。一方、オンデマンド情報の文字の外側には、IDカードに関わらず文字が印刷されない一定の領域があるので、そのような領域を利用して異なるIDカード間で共通して有効な真贋判定ができる。
【００１２】
前記所定領域は、前記文字と、前記IDカードのその他の文字又は罫線との間にあることも望ましい。
オンデマンド情報の文字と、IDカードのその他の文字又は罫線との間は線の密度が高いので、真贋判定を好適に行うことができる。
【００１３】
前記真贋判定装置は、例えば前記濃度値を閾値と比較することにより、前記IDカードの真贋判定を行う。
IDカードが偽のものかどうかは、前記の所定領域の濃度値を閾値と比較して好適に判定することができる。
【００１４】
第２の発明は、コンピュータを、IDカードの真贋判定を行う真贋判定装置であって、前記IDカードの画像におけるオンデマンド情報の文字の線の近傍の所定領域の濃度値から、前記IDカードの真贋判定を行う真贋判定装置として機能させるためのプログラムである。
【発明の効果】
【００１５】
本発明により、偽のIDカードを好適に検出する真贋判定装置等を提供することができる。
【図面の簡単な説明】
【００１６】
【図１】真贋判定システム１を示す図。
【図２】真贋判定装置３のハードウェア構成を示す図。
【図３】IDカード１０の券面の例。
【図４】オンデマンド情報の文字の例。
【図５】昇華型熱転写プリンタ１００と熱転写リボン２００を示す図。
【図６】昇華型熱転写方式での印刷方法について説明する図。
【図７】真贋判定方法について示すフローチャート。
【図８】複数の所定領域ａ〜ｃを判定に用いる例。
【発明を実施するための形態】
【００１７】
以下、図面に基づいて本発明の好適な実施形態について詳細に説明する。
【００１８】
（１．真贋判定システム１）
図１は、本発明の実施形態に係る真贋判定装置３を有する真贋判定システム１を示す図である。図１に示すように、真贋判定システム１は読取装置２と真贋判定装置３を有する。読取装置２と真贋判定装置３は無線または有線による通信手段により通信可能に接続される。
【００１９】
読取装置２はIDカード１０の読取を行うものであり、カメラ２１等を有する。カメラ２１はIDカード１０の券面を撮影するものであり、例えば受光レンズ、撮像素子、A/D(Analog/digital)変換部等を有する既知のカメラを用いることができる。
【００２０】
真贋判定装置３は、IDカード１０の券面画像からIDカード１０の真贋判定を行い、偽のIDカード１０を検出するものである。
【００２１】
図２は真贋判定装置３のハードウェア構成を示す図である。図２に示すように、真贋判定装置３は、制御部３１、記憶部３２、表示部３３、入力部３４、通信制御部３５等をバス等により接続して構成されたコンピュータにより実現できる。ただしこれに限ることは無く、適宜様々な構成をとることができる。
【００２２】
制御部３１はCPU、ROM、RAMなどから構成される。CPUは、記憶部３２、ROMなどの記憶媒体に格納された真贋判定装置３の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部３２、ROMなどからロードしたプログラムやデータを一時的に保持するとともに、制御部３１が各種処理を行うために使用するワークエリアを備える。
【００２３】
記憶部３２はハードディスクドライブやソリッドステートドライブ、フラッシュメモリ等であり、後述する処理に際し真贋判定装置３が実行するプログラム、プログラム実行に必要なデータ、OSなどが格納される。これらのプログラムやデータは、制御部３１により必要に応じて読み出され実行される。
【００２４】
表示部３３は液晶ディスプレイ等を備える。
入力部３４は真贋判定装置３に各種の設定入力を行うものである。
通信制御部３５は無線通信を媒介する通信インタフェースであり、読取装置２との間で通信を行う。
【００２５】
（２．IDカード１０）
IDカード１０は、本実施形態において真贋判定の対象となる本人確認用媒体である。図３（ａ）はIDカード１０の概略を示す図であり、IDカード１０の券面の一例を模式的に示したものである。IDカード１０は、例えば運転免許証、マイナンバーカード、在留カード、特別永住者カードなどである。
【００２６】
IDカード１０は金融機関や携帯電話キャリアなどで本人確認に用いられる。IDカード１０は、横に長い略矩形状のカード基材上に、カード所持者の氏名１２、生年月日１３、住所１４および顔画像１８、IDカード１０の交付年月日１５、発行番号１６、有効期限１７などを印刷したものである。
【００２７】
IDカード１０のうち、氏名１２、住所１４、交付年月日１５、発行番号１６の記載欄を示す「氏名」「住所」「交付年月日」「番号」などの文字、氏名１２、生年月日１３、住所１４、交付年月日１５、発行番号１６の記載欄の罫線、生年月日１３の「年」「月」「日」「生」の文字、交付年月日１５の「年」「月」「日」の文字、発行番号１６の「第」「号」の文字は、各IDカード１０で共通に使用される。これらの文字あるいは罫線は、オンデマンド情報の印刷前に、オフセット印刷方式や凸版印刷方式などの印刷方式でカード基材上の決まった位置に予め印刷され、プレ印刷部分と呼ばれる。
【００２８】
一方、氏名１２、生年月日１３の「年」「月」「日」「生」を除く文字、住所１４、顔画像１８、交付年月日１５の「年」「月」「日」を除く文字、発行番号１６の「第」「号」を除く文字、有効期限１７などはIDカード１０によって異なるオンデマンド情報である。オンデマンド情報のうち文字は溶融型熱転写方式によってカード基材上に印刷される。一方、顔画像１８は昇華型熱転写方式によってカード基材上に印刷される。
【００２９】
図３（ｂ）はIDカード１０からオンデマンド情報を抜き出したものであり、予めプレ印刷部分を印刷したカード基材にオンデマンド情報を印刷することでIDカード１０が製造される。オンデマンド情報やプレ印刷部分がどのような構成となるかは、運転免許証、マイナンバーカード、在留カード、特別永住者カードなどIDカード１０の種類によって異なる。
【００３０】
図４（ａ）は、IDカード１０のオンデマンド情報の文字として、交付年月日１５の「平成」の文字を拡大した例である。オンデマンド情報の文字は溶融型熱転写方式で印刷されるので、線のエッジが明確に現れ、文字の線と、当該線の近傍の文字が印刷されない領域（非印字領域）との違いが明確である。これは、オフセット印刷方式や凸版印刷方式で形成されるプレ印刷部分の文字や罫線でも同様である。
【００３１】
一方、図３（ａ）のようなIDカード１０の券面画像が仮に昇華型熱転写方式で印刷されると、図４（ｂ）のＡやＢに示すようにオンデマンド情報の文字の線の近傍に尾引が現れ、当該線の近傍の本来文字が印刷されない領域にインクが転写される。尾引は昇華型熱転写方式の印刷方法に由来するので、以下その印刷方法について簡単に説明する。
【００３２】
（３．昇華型熱転写方式での印刷方法）
昇華型熱転写方式による印刷は図５（ａ）に示す昇華型熱転写プリンタ１００によって行われる。昇華型熱転写プリンタ１００では、供給リール１０１に巻付けた熱転写リボン２００を巻出して矢印に示す方向に搬送しつつ、その途中でサーマルヘッド１１０により熱転写リボン２００に熱を加えて熱転写リボン２００の転写層の昇華性染料を印刷対象３００に転写する。転写後の熱転写リボン２００は巻取リール１０２で巻取られる。
【００３３】
図５（ｂ）は熱転写リボン２００の転写層２０２の例であり、Ｙ（イエロー）、Ｍ（マゼンタ）、Ｃ（シアン）の各転写層２０２が熱転写リボン２００のシート上に面順次に配列される。
【００３４】
昇華型熱転写プリンタ１００では、印刷対象３００を搬送しつつ、図６（ａ）に示すようにシート２０１上の転写層２０２の昇華性染料を印刷対象３００に転写する。サーマルヘッド１１０は、制御部（不図示）から信号を受けるとサーマルヘッド素子１１１を所定の温度とし、サーマルヘッド素子１１１から熱転写リボン２００に熱を加える。
【００３５】
サーマルヘッド素子１１１が図６（ａ）の転写層２０２の範囲Ｃに熱を加えると、この範囲Ｃの転写層２０２の昇華性染料が気化して印刷対象３００に設けられた受容層３００ａに熱拡散し、転写層２０２の染料が印刷対象３００に転写される。転写層２０２の転写は256階調で行うことができ、印刷対象３００を往復搬送しながらＹ、Ｍ、Ｃの転写層２０２を印刷対象３００上の所定位置に転写することで文字等の印刷が行われる。
【００３６】
前記したように、サーマルヘッド素子１１１の温度は制御部により制御されており、その温度を転写層２０２の転写時のみ所定の温度とするようにオン、オフの信号を与える。しかしながら、図６（ｂ）に示すように、時間ｔ１でオン信号を与えてもサーマルヘッド素子１１１が所定の温度になるまでに遅延ｄｔ１が発生し、その後サーマルヘッド素子１１１に時間ｔ２でオフ信号を与えても、サーマルヘッド素子１１１が元の温度に戻るまでに遅延ｄｔ２が発生する。
【００３７】
サーマルヘッド素子１１１の温度が所定の温度に上昇する間、および所定の温度から元の温度に下降する間にも転写層２０２の昇華性染料はある程度気化して転写される。これが、昇華型熱転写方式で印刷された線に図４（ｂ）のＡ、Ｂに示すような尾引が生じる理由である。
【００３８】
前記したように、正規のIDカード１０ではオンデマンド情報の文字が溶融型転写方式で形成され、文字の線と、当該線の近傍の文字が印刷されない領域との違いが明確なので、図４（ｂ）のＡ、Ｂのように線の近傍の本来文字が印刷されない領域にインクが転写されるものを偽のIDカード１０として検出できる。そこで本実施形態では、オンデマンド情報の文字の線の近傍の所定領域の濃度値に基づいて、IDカード１０の真贋判定を行う。
【００３９】
（４．真贋判定方法）
図７は本実施形態の真贋判定方法について示すフローチャートである。図７のＳ１〜Ｓ２は読取装置２が実行する処理であり、Ｓ３〜Ｓ６は真贋判定装置３の制御部３１が実行する処理である。図７の処理は、例えばIDカード１０を指定の位置にセットし、真贋判定装置３から読取装置２に処理開始の指示を送信することで開始される。
【００４０】
本実施形態では、まず読取装置２がIDカード１０の券面をカメラ２１によって撮影し（Ｓ１）、IDカード１０の券面画像を真贋判定装置３に送信する（Ｓ２）。本実施形態ではIDカード１０の券面の画像を600dpi（1画素約42ミクロン）の分解能のカメラ２１で撮影し、256の濃度階調のグレースケール画像を得るが、これに限ることはない。
【００４１】
真贋判定装置３は、券面画像を受信する（Ｓ３）と、券面画像のなかから、オンデマンド情報の文字の線の近傍の所定領域の抽出を行う（Ｓ４）。
【００４２】
所定領域は線の近傍の本来文字が印刷されない領域であればよく、例えば図４（ｂ）のＡのように文字の内部領域で文字の線と線の間に設定してもよいが、本実施形態では図４（ｂ）のＢのような文字の外側の領域に設定し、図３（ａ）のａのように、交付年月日１５の文字の下方の所定領域を事前に座標指定して券面画像から切出す。前記の尾引は線が密集すると発生しやすくなるが、上記の所定領域ａは、交付年月日１５の文字と交付年月日１５の記載欄の罫線の間であり線の密度が高く、尾引が発生しやすい点でも好ましい。
【００４３】
そして、真贋判定装置３は、Ｓ４で抽出した所定領域ａの濃度値からIDカード１０の真贋判定を行う（Ｓ５）。
【００４４】
本実施形態では、例えば所定領域ａの各画素の濃度値の平均を取って閾値と比較し、閾値未満であれば正規のIDカード１０とし、閾値以上であれば偽のIDカード１０とする。しかしながら、真贋判定の方法はこれに限らず、例えば所定領域ａの画素の最大濃度を閾値と比較したり、所定領域ａの画素の濃度値の度数分布に基づいて真贋判定を行ってもよい。
【００４５】
真贋判定装置３は、判定結果を表示部３３に表示し（Ｓ６）、処理を終了する。オペレータは、真贋判定装置３の表示部３３に表示された判定結果を見ることで、IDカード１０が正規のものであるか偽造されたものであるかがわかる。
【００４６】
以上説明したように、本実施形態では、IDカード１０のオンデマンド情報の文字が溶融型熱転写方式により印刷され、文字の線と、当該線の近傍の文字が印刷されない領域との違いが明確になることを利用し、オンデマンド情報の文字の線の近傍の所定領域ａの濃度値に基づいて、線の近傍の本来文字が印刷されない領域にインキが転写されるもの全般を偽のIDカード１０と判定できる。そのため、昇華型熱転写方式により券面画像を印刷したものをIDカード１０の全面に貼り付けるような偽造等を検出できる。
【００４７】
なお、インクジェット方式により印刷を行う場合も、誤差拡散法により濃淡を表現する結果、線の近傍にニジミやボケが生じるので、インクジェット方式で券面画像が印刷されたIDカード１０も同様に偽と判定できる。このように、本実施形態の真贋判定方法は、昇華型熱転写方式に限らず、インクジェット方式、あるいはドットの面積で階調を表現するような印刷方式（例えば、電子写真印刷方式）など、文字の線のエッジが明確に現れず、線の近傍の本来文字が印刷されない領域にインクが転写されるような印刷方式による偽造全般を検出できる。
【００４８】
また本実施形態では、所定領域ａをオンデマンド情報の文字の外側の領域としているが、これは、オンデマンド情報の文字がIDカード１０によって異なるためである。すなわち、文字の内部領域の濃度値によって真贋判定をしようとすると、あるIDカード１０では当該領域が文字の線と線の間になり真贋判定ができるが、他のIDカード１０では当該領域が文字の線の上となり有効な真贋判定ができない可能性がある。一方、オンデマンド情報の文字の外側には、IDカード１０に関わらず文字が印刷されない一定の領域があるので、そのような領域を利用して異なるIDカード１０間で共通して有効な真贋判定ができる。
【００４９】
また、本実施形態では所定領域ａをオンデマンド情報の文字とIDカード１０の罫線の間とすることで、尾引が発生しやすく真贋判定の面で好ましい。その他、所定領域ａをオンデマンド情報の文字とIDカード１０のその他の文字の間としても同様の効果が得られる。「IDカード１０のその他の文字」は、オンデマンド情報のうち上記の文字と別の文字であってもよいし、プレ印刷部分の文字であってもよい。
【００５０】
また本実施形態では、IDカード１０が偽のものかどうかを、所定領域ａの濃度値を閾値と比較して好適に判定することができる。
【００５１】
しかしながら、本発明はこれに限らない。例えばIDカード１０をズボンの後ポケット等に入れるとIDカード１０が反り、IDカード１０の撮影時の焦点が合わず、券面画像にボケが生じることがある。このようなボケは正規のIDカード１０を偽のIDカード１０と誤判定する要因となるので、これを防ぐため、カード周辺とそれより内側にある複数の所定領域の濃度値を判定に用い、少なくとも一つの所定領域で撮影時の焦点が有っていれば判定を正しく行える（正規のIDカード１０を正規のIDカード１０と判定できる）仕組みとしてもよい。これにより判定精度を向上させることができる。
【００５２】
例えば図８に示すように、交付年月日１５の文字の下方の所定領域ａ、生年月日１３の文字の下方の所定領域ｂ、氏名１２の文字の下方の所定領域ｃのそれぞれに対しＳ５の処理を行い、少なくとも一つの所定領域で正規のIDカード１０と判定されれば、他の所定領域での判定結果に関わらずそのIDカード１０を正規のIDカード１０とする。
【００５３】
なお、オンデマンド情報の文字に対して尾引が生じる方向は、偽のIDカード１０の券面画像を昇華型熱転写方式で印刷するときの熱転写リボン２００の搬送方向に対応しており、通常IDカード１０の縦方向または横方向である。本実施形態では当該方向を縦方向とし、オンデマンド情報の文字の下方の所定領域ａを抽出しているが、オンデマンド情報の文字の上方の所定領域を抽出してもよい。
【００５４】
あるいは、検査段階では熱転写リボン２００の搬送方向がどの方向であるかわからないことが多いので、文字の下方（あるいは上方）の所定領域についてＳ５の判定を行うだけでなく、文字の右方向（あるいは左方向）の所定領域についてもＳ５の判定を行ってよい。この場合、文字の下方（あるいは上方）の所定領域と、文字の右方向（あるいは左方向）の所定領域のいずれかで偽と判定された場合に、そのIDカード１０を偽とすることが可能である。
【００５５】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５６】
１：真贋判定システム
２：読取装置
３：真贋判定装置
１０：IDカード
１２：氏名
１３：生年月日
１４：住所
１５：交付年月日
１６：発行番号
１７：有効期限
１８：顔画像
【図１】
2020035033.tif 000003
【図２】
2020035033.tif 000004
【図３】
2020035033.tif 000005
【図４】
2020035033.tif 000006
【図５】
2020035033.tif 000007
【図６】
2020035033.tif 000008
【図７】
2020035033.tif 000009
【図８】
2020035033.tif 000010